【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ピアツーピアネットワークのグループオーナを選択する方法であって、
第1のワイヤレスデバイスによって、他のワイヤレスデバイスにWi-Fiプローブ要求を送信するステップと、
前記第1のワイヤレスデバイスによって、前記他のワイヤレスデバイスから、いくつかのWi-Fiプローブ応答を受け取るステップであって、受け取ったWi-Fiプローブ応答の数が、どれだけ多くのワイヤレスデバイスが前記第1のワイヤレスデバイスのワイヤレス通信範囲内にあるのかを示す、ステップと、
前記第1のワイヤレスデバイスによって前記いくつかのWi-Fiプローブ応答を受け取ることに応答して、どれだけ多くのワイヤレスデバイスが前記第1のワイヤレスデバイスのワイヤレス通信範囲内にあるのかを、どれだけ多くのワイヤレスデバイスが第2のワイヤレスデバイスのワイヤレス通信範囲内にあるのかと比較するステップであって、前記第1のワイヤレスデバイスと前記第2のワイヤレスデバイスとは、ピアツーピアネットワークのグループオーナではない、ステップと、
前記第1のワイヤレスデバイスによる前記比較に応答して、前記第2のワイヤレスデバイスのワイヤレス通信範囲内よりも、前記第1のワイヤレスデバイスのワイヤレス通信範囲内により多くのワイヤレスデバイスがある場合、前記第1のワイヤレスデバイスを前記グループオーナとして選択するステップと、
前記第1のワイヤレスデバイスによる前記比較に応答して、前記第1のワイヤレスデバイスのワイヤレス通信範囲内よりも、前記第2のワイヤレスデバイスのワイヤレス通信範囲内により多くのワイヤレスデバイスがある場合、前記第2のワイヤレスデバイスを前記グループオーナとして選択するステップと
を含む、方法。
【請求項２】
前記第1のワイヤレスデバイスが、発見動作の期間に、どれだけ多くのワイヤレスデバイスが前記第2のワイヤレスデバイスのワイヤレス通信範囲内にあるのかを示す表示を受け取る、請求項1に記載の方法。
【請求項３】
前記受け取ったプローブ応答の各々が、対応する他のワイヤレスデバイスのメディアアクセス制御(MAC)アドレスを含む、請求項1に記載の方法。
【請求項４】
前記第1のワイヤレスデバイス内に設けられるデータベース中に前記MACアドレスを記憶するステップ
をさらに含む、請求項3に記載の方法。
【請求項５】
どれだけ多くのワイヤレスデバイスが前記第1のワイヤレスデバイスのワイヤレス通信範囲内にあるのかの表示を、前記第2のワイヤレスデバイスに送るステップ
をさらに含む、請求項1に記載の方法。
【請求項６】
同じ数のワイヤレスデバイスが前記第1のワイヤレスデバイスと第2のワイヤレスデバイスのワイヤレス通信範囲内にあることを、前記第1のワイヤレスデバイスによる前記比較が示すことに従って、前記第1のワイヤレスデバイスと第2のワイヤレスデバイスのメディアアクセス制御(MAC)アドレスの比較に基づいて、前記第1のワイヤレスデバイスまたは前記第2のワイヤレスデバイスのいずれかを前記グループオーナとして選択するステップ
をさらに含む、請求項1に記載の方法。
【請求項７】
第1のワイヤレスデバイスであって、
1つまたは複数のプロセッサと、
前記1つまたは複数のプロセッサによって実行されると、前記第1のワイヤレスデバイスに、
他のワイヤレスデバイスにWi-Fiプローブ要求を送信することと、
前記他のワイヤレスデバイスから、いくつかのWi-Fiプローブ応答を受け取ることであって、受け取ったWi-Fiプローブ応答の数が、どれだけ多くのワイヤレスデバイスが前記第1のワイヤレスデバイスのワイヤレス通信範囲内にあるのかを示す、受け取ることと、
前記いくつかのWi-Fiプローブ応答を受け取ることに応答して、どれだけ多くのワイヤレスデバイスが前記第1のワイヤレスデバイスのワイヤレス通信範囲内にあるのかを、どれだけ多くのワイヤレスデバイスが第2のワイヤレスデバイスのワイヤレス通信範囲内にあるのかと比較することであって、前記第1のワイヤレスデバイスと前記第2のワイヤレスデバイスとは、ピアツーピアネットワークのグループオーナではない、比較することと、
前記第1のワイヤレスデバイスによる前記比較に応答して、前記第2のワイヤレスデバイスのワイヤレス通信範囲内よりも、前記第1のワイヤレスデバイスのワイヤレス通信範囲内により多くのワイヤレスデバイスがある場合、前記第1のワイヤレスデバイスを前記グループオーナとして選択することと、
前記第1のワイヤレスデバイスによる前記比較に応答して、前記第1のワイヤレスデバイスのワイヤレス通信範囲内よりも、前記第2のワイヤレスデバイスのワイヤレス通信範囲内により多くのワイヤレスデバイスがある場合、前記第2のワイヤレスデバイスを前記グループオーナとして選択することと
を行わせる命令を記憶するメモリと
を備える、第1のワイヤレスデバイス。
【請求項８】
前記第1のワイヤレスデバイスが、発見動作の期間に、どれだけ多くのワイヤレスデバイスが前記第2のワイヤレスデバイスのワイヤレス通信範囲内にあるのかを示す表示を受け取る、請求項7に記載の第1のワイヤレスデバイス。
【請求項９】
前記受け取ったプローブ応答の各々が、対応する他のワイヤレスデバイスのメディアアクセス制御(MAC)アドレスを含む、請求項7に記載の第1のワイヤレスデバイス。
【請求項１０】
前記命令の実行が、前記第1のワイヤレスデバイスに、さらに、
前記第1のワイヤレスデバイス内に設けられるデータベース中に前記MACアドレスを記憶させる、
請求項9に記載の第1のワイヤレスデバイス。
【請求項１１】
前記命令の実行が、前記第1のワイヤレスデバイスに、さらに、
どれだけ多くのワイヤレスデバイスが前記第1のワイヤレスデバイスのワイヤレス通信範囲内にあるのかの表示を、前記第2のワイヤレスデバイスに送らせる、
請求項7に記載の第1のワイヤレスデバイス。
【請求項１２】
前記グループオーナを選択する前記命令の実行が、前記第1のワイヤレスデバイスに、
同じ数のワイヤレスデバイスが前記第1のワイヤレスデバイスと第2のワイヤレスデバイスのワイヤレス通信範囲内にあることを、前記比較が示すことに従って、前記第1のワイヤレスデバイスと第2のワイヤレスデバイスのメディアアクセス制御(MAC)アドレスの比較に基づいて、前記第1のワイヤレスデバイスまたは前記第2のワイヤレスデバイスのいずれかを前記グループオーナとして選択させる、
請求項7に記載の第1のワイヤレスデバイス。
【請求項１３】
第1のワイヤレスデバイスの1つまたは複数のプロセッサによって実行されると、前記第1のワイヤレスデバイスに、
第1のワイヤレスデバイスによって、他のワイヤレスデバイスにWi-Fiプローブ要求を送信するステップと、
記第1のワイヤレスデバイスによって、前記他のワイヤレスデバイスから、いくつかのWi-Fiプローブ応答を受け取るステップであって、受け取ったWi-Fiプローブ応答の数が、どれだけ多くのワイヤレスデバイスが前記第1のワイヤレスデバイスのワイヤレス通信範囲内にあるのかを示す、ステップと、
前記いくつかのWi-Fiプローブ応答を受け取ることに応答して、どれだけ多くのワイヤレスデバイスが前記第1のワイヤレスデバイスのワイヤレス通信範囲内にあるのかを、どれだけ多くのワイヤレスデバイスが第2のワイヤレスデバイスのワイヤレス通信範囲内にあるのかと比較するステップであって、前記第1のワイヤレスデバイスと前記第2のワイヤレスデバイスとは、ピアツーピアネットワークのグループオーナではない、ステップと、
前記比較に応答して、前記第2のワイヤレスデバイスのワイヤレス通信範囲内よりも、前記第1のワイヤレスデバイスのワイヤレス通信範囲内により多くのワイヤレスデバイスがある場合、前記第1のワイヤレスデバイスを前記グループオーナとして選択するステップと、
前記比較に応答して、前記第1のワイヤレスデバイスのワイヤレス通信範囲内よりも、前記第2のワイヤレスデバイスのワイヤレス通信範囲内により多くのワイヤレスデバイスがある場合、前記第2のワイヤレスデバイスを前記グループオーナとして選択するステップと
を含む動作を実施させる命令を記憶する、非一時的なコンピュータ可読記録媒体。
【請求項１４】
前記第1のワイヤレスデバイスが、発見動作の期間に、どれだけ多くのワイヤレスデバイスが前記第2のワイヤレスデバイスのワイヤレス通信範囲内にあるのかを示す表示を受け取る、請求項13に記載の非一時的なコンピュータ可読記録媒体。
【請求項１５】
前記受け取ったプローブ応答の各々が、対応する他のワイヤレスデバイスのメディアアクセス制御(MAC)アドレスを含む、請求項13に記載の非一時的なコンピュータ可読記録媒体。
【請求項１６】
前記命令の実行が、前記第1のワイヤレスデバイスに、
前記第1のワイヤレスデバイス内に設けられるデータベース中に前記MACアドレスを記憶するステップ
をさらに含む動作を実施させる、請求項15に記載の非一時的なコンピュータ可読記録媒体。
【請求項１７】
前記命令の実行が、前記第1のワイヤレスデバイスに、
どれだけ多くのワイヤレスデバイスが前記第1のワイヤレスデバイスのワイヤレス通信範囲内にあるのかの表示を、前記第2のワイヤレスデバイスに送るステップ
をさらに含む動作を実施させる、請求項13に記載の非一時的なコンピュータ可読記録媒体。
【請求項１８】
前記グループオーナを選択する前記命令の実行が、前記第1のワイヤレスデバイスに、
同じ数のワイヤレスデバイスが前記第1のワイヤレスデバイスと第2のワイヤレスデバイスのワイヤレス通信範囲内にあることを、前記比較が示すことに従って、前記第1のワイヤレスデバイスと第2のワイヤレスデバイスのメディアアクセス制御(MAC)アドレスの比較に基づいて、前記第1のワイヤレスデバイスまたは前記第2のワイヤレスデバイスのいずれかを前記グループオーナとして選択するステップ
を含む動作を実施させる、請求項13に記載の非一時的なコンピュータ可読記録媒体。
【請求項１９】
第1のワイヤレスデバイスであって、
他のワイヤレスデバイスにWi-Fiプローブ要求を送信するための手段と、
前記他のワイヤレスデバイスから、いくつかのWi-Fiプローブ応答を受け取るための手段であって、受け取ったWi-Fiプローブ応答の数が、どれだけ多くのワイヤレスデバイスが前記第1のワイヤレスデバイスのワイヤレス通信範囲内にあるのかを示す、手段と、
前記いくつかのWi-Fiプローブ応答を受け取ることに応答して、どれだけ多くのワイヤレスデバイスが前記第1のワイヤレスデバイスのワイヤレス通信範囲内にあるのかを、どれだけ多くのワイヤレスデバイスが第2のワイヤレスデバイスのワイヤレス通信範囲内にあるのかと比較することであって、前記第1のワイヤレスデバイスと前記第2のワイヤレスデバイスとは、ピアツーピアネットワークのグループオーナではない、比較することと、
前記第1のワイヤレスデバイスによる前記比較に応答して、前記第2のワイヤレスデバイスのワイヤレス通信範囲内よりも、前記第1のワイヤレスデバイスのワイヤレス通信範囲内により多くのワイヤレスデバイスがある場合、前記第1のワイヤレスデバイスを前記グループオーナとして選択することと、
前記第1のワイヤレスデバイスによる前記比較に応答して、前記第1のワイヤレスデバイスのワイヤレス通信範囲内よりも、前記第2のワイヤレスデバイスのワイヤレス通信範囲内により多くのワイヤレスデバイスがある場合、前記第2のワイヤレスデバイスを前記グループオーナとして選択することと
を行うための手段と
を備える、第1のワイヤレスデバイス。
【請求項２０】
前記第1のワイヤレスデバイスが、発見動作の期間に、どれだけ多くのワイヤレスデバイスが前記第2のワイヤレスデバイスのワイヤレス通信範囲内にあるのかを示す表示を受け取る、請求項19に記載の第1のワイヤレスデバイス。
【請求項２１】
前記受け取ったプローブ応答の各々が、対応する他のワイヤレスデバイスのメディアアクセス制御(MAC)アドレスを含む、請求項19に記載の第1のワイヤレスデバイス。
【請求項２２】
どれだけ多くのワイヤレスデバイスが前記第1のワイヤレスデバイスのワイヤレス通信範囲内にあるのかの表示を、前記第2のワイヤレスデバイスに送るための手段
をさらに備える、請求項19に記載の第1のワイヤレスデバイス。
【請求項２３】
選択するための前記手段が、
同じ数のワイヤレスデバイスが前記第1のワイヤレスデバイスと第2のワイヤレスデバイスのワイヤレス通信範囲内にあることを、前記比較が示すことに従って、前記第1のワイヤレスデバイスと第2のワイヤレスデバイスのメディアアクセス制御(MAC)アドレスの比較に基づいて、前記第1のワイヤレスデバイスまたは前記第2のワイヤレスデバイスのいずれかを前記グループオーナとして選択する、
請求項19に記載の第1のワイヤレスデバイス。